(57)【要約】【課題】従来の複合携帯端末においては、電源オン時のチャネルサーチや、基地局エリアの端におけるチャネルサーチにおいては、余分なチャネルサーチを行うことがあり、その分、電力消費がかかる。【解決手段】ＧＰＳ搭載複合携帯電話の電源オン時に、ＧＰＳ信号から現在位置情報を算出する（ステップ３０１〜３０３）。この現在位置情報と記憶部に記憶しているエリア情報とを比較して、複合携帯電話の現在位置情報がＰＤＣで通信を行う基地局のＰＤＣエリアであるか、ＣＤＭＡ方式で通信を行う基地局のＣＤＭＡエリアであるかを判定して、判定したエリアに対応した通信方式でのみチャネルサーチを行う（ステップ３０４〜３１０）。これにより、チャネルサーチをする基地局の通信方式が分かるため、余分なチャネルサーチをすることが無くなり、余分な電力消費を防止することができる。【選択図】            図３
2004221730.tif 000002
【特許請求の範囲】
【請求項１】
通信方式が互いに異なり、かつ、互いに独立した通信エリアを各々有する複数の基地局と、全地球測位システムで用いられるＧＰＳ衛星と、該複数の基地局のいずれに対しても、その基地局の通信方式で通信可能な複数の通信方式に対応した複数の無線部及び前記ＧＰＳ衛星からのＧＰＳ信号を受信するＧＰＳ受信部を搭載した複合携帯端末とよりなる移動通信システムであって、前記複合携帯端末は、前記複数の基地局の通信エリアの位置情報と該複数の基地局の通信方式とを対応付けたエリア情報を記憶している記憶部と、電源オン時に前記ＧＰＳ受信部で受信した前記ＧＰＳ信号に基づき現在の位置情報を算出する位置情報検出部と、該位置情報検出部で算出した前記現在の位置情報と前記記憶部に記憶されているエリア情報を比較して、該現在の位置情報に対応したエリアの基地局の通信方式を求める第１の通信方式検索手段と、前記複数の無線部のうち前記第１の通信方式検索手段で求めた通信方式の無線部を動作状態としてチャネルサーチを行い待ち受け状態とする第１の待ち受け手段とを有することを特徴とする移動通信システム。
【請求項２】
通信方式が互いに異なり、かつ、互いに独立した通信エリアを各々有する複数の基地局と、全地球測位システムで用いられるＧＰＳ衛星と、該複数の基地局のいずれに対しても、その基地局の通信方式で通信可能な複数の通信方式に対応した複数の無線部及び前記ＧＰＳ衛星からのＧＰＳ信号を受信するＧＰＳ受信部を搭載した複合携帯端末とよりなる移動通信システムであって、前記複合携帯端末は、前記複数の基地局の通信エリアの位置情報と該複数の基地局の通信方式とを対応付けたエリア情報を記憶している記憶部と、通信中の基地局からの信号の受信レベルを所定の閾値と比較する比較手段と、該比較手段により前記受信レベルが前記閾値以下のときに前記ＧＰＳ受信部で受信した前記ＧＰＳ信号に基づき現在の位置情報を算出する位置情報検出部と、該位置情報検出部で算出した前記現在の位置情報と前記記憶部に記憶されているエリア情報を比較して、該現在の位置情報に対応したエリアに隣接するエリアの基地局の通信方式を求める第２の通信方式検索手段と、前記複数の無線部のうち前記第２の通信方式検索手段で求めた通信方式の無線部を動作状態としてチャネルサーチを行い待ち受け状態とする第２の待ち受け手段とを有することを特徴とする移動通信システム。
【請求項３】
前記複合携帯端末は、前記第２の通信方式検索手段により前記位置情報検出部で算出した前記現在の位置情報に対応したエリアに隣接するエリアのエリア情報が前記記憶部から検索できないときに、前記通信中の基地局に対して前記隣接するエリアのエリア情報を要求する情報要求手段と、前記通信中の基地局から応答送信された隣接するすべてのエリアのエリア情報を受信して移動方向に隣接するエリア情報を取得して、そのエリアの基地局の通信方式を求める第３の通信方式検索手段とを有し、前記複数の基地局は、前記複合携帯端末から前記エリア情報要求があったときは、隣接するすべての基地局の通信方式と隣接するエリアの位置情報を含むエリア情報を要求元の前記複合携帯端末へ送信する送信手段を有することを特徴とする請求項２記載の移動通信システム。
【請求項４】
通信方式が互いに異なり、かつ、互いに独立した通信エリアを各々有する複数の基地局のいずれに対しても、その基地局の通信方式で通信可能な複数の通信方式に対応した複数の無線部、及び全地球測位システムで用いられるＧＰＳ衛星からのＧＰＳ信号を受信するＧＰＳ受信部を搭載した複合携帯端末であって、
前記複数の基地局の通信エリアの位置情報と該複数の基地局の通信方式とを対応付けたエリア情報を記憶している記憶部と、
電源オン時に前記ＧＰＳ受信部で受信した前記ＧＰＳ信号に基づき現在の位置情報を算出する位置情報検出部と、
該位置情報検出部で算出した前記現在の位置情報と前記記憶部に記憶されているエリア情報を比較して、該現在の位置情報に対応したエリアの基地局の通信方式を求める第１の通信方式検索手段と、
前記複数の無線部のうち前記第１の通信方式検索手段で求めた通信方式の無線部を動作状態としてチャネルサーチを行い待ち受け状態とする第１の待ち受け手段と
を有することを特徴とする複合携帯端末。
【請求項５】
通信方式が互いに異なり、かつ、互いに独立した通信エリアを各々有する複数の基地局のいずれに対しても、その基地局の通信方式で通信可能な複数の通信方式に対応した複数の無線部、及び全地球測位システムで用いられるＧＰＳ衛星からのＧＰＳ信号を受信するＧＰＳ受信部を搭載した複合携帯端末であって、
前記複数の基地局の通信エリアの位置情報と該複数の基地局の通信方式とを対応付けたエリア情報を記憶している記憶部と、
通信中の第１の基地局からの信号の受信レベルを所定の閾値と比較する比較手段と、
該比較手段により前記受信レベルが前記閾値以下のときに前記ＧＰＳ受信部で受信した前記ＧＰＳ信号に基づき現在の位置情報を算出する位置情報検出部と、該位置情報検出部で算出した前記現在の位置情報と前記記憶部に記憶されているエリア情報を比較して、該現在の位置情報に対応したエリアに隣接するエリアの第２の基地局の通信方式を求める第２の通信方式検索手段と、
前記複数の無線部のうち前記第２の通信方式検索手段で求めた通信方式の無線部を動作状態としてチャネルサーチを行い待ち受け状態とする第２の待ち受け手段と
を有することを特徴とする複合携帯端末。
【請求項６】
通信中の前記第１の基地局からの信号の第１の受信レベルと、待ち受け状態にある隣接するエリアの前記第２の基地局からの信号の第２の受信レベルとを比較し、該第２の受信レベルの方が前記第１の受信レベルよりも大となった時に、通信する基地局を前記第１の基地局から前記第２の基地局へ切り替える切り替え手段を更に有することを特徴とする請求項５記載の複合携帯端末。
【発明の詳細な説明】
【０００１】
【発明の属する技術分野】
本発明は移動通信システム及び複合携帯端末に係り、特にＧＰＳ（Ｇｌｏｂａｌ  Ｐｏｓｉｔｉｏｎｉｎｇ  Ｓｙｓｔｅｍ）衛星からのＧＰＳ信号を用いて位置情報を得る位置情報検索機能を搭載した複合携帯端末が、通信方式の異なる複数の基地局との間で無線通信する移動通信システム及びそれに用いる複合携帯端末に関する。
【０００２】
【従来の技術】
近年、携帯電話等の携帯端末の市場は成熟し、高機能化や高性能化が図られている。しかし、携帯端末の高機能化や高性能化が進めば進むほど、携帯端末の電池の長寿命化の要求が高くなっている。
【０００３】
一方、移動通信システムの通信方式も各種の方式が提案されており、代表的なものとして多様なコンテンツを扱うことが可能な符号分割多元接続（ＣＤＭＡ：Ｃｏｄｅ  Ｄｉｖｉｓｉｏｎ  Ｍｕｌｔｉｐｌｅ  Ａｃｃｅｓｓ）方式と、時分割多元接続方式とがある。更に、時分割多元接続方式の代表例としては、ＰＤＣ（Ｐｅｒｓｏｎａｌ  Ｄｉｇｉｔａｌ  Ｃｅｌｌｕｌａｒ）規格がある。そこで、上記のＣＤＭＡ方式とＰＤＣ規格の両方の通信方式を選択して通信可能な、所謂デュアルモード携帯端末（複合携帯端末）も従来より知られている（例えば、特許文献１参照）。
【０００４】
この特許文献１記載の複合携帯端末は、送信系の直交変調器の入力にモードスイッチを設け、直交変調器及び電力制御増幅器を共用し、電力制御増幅器の出力にモードスイッチを設け、異なるモードの送信系回路に信号を供給し、また、第二局部発振器出力と直交変調器の入力の間に１／２分周回路を設け、更にこの１／２分周回路の動作状態をモード切替により制御できるようにすることで、送信系の一部をＣＤＭＡ用とＰＤＣ用とで共用し、また、無線部を簡略化する構成としたものである。
【０００５】
【特許文献１】
特開２０００−１３２７４号公報（第４頁、図１）
【０００６】
【発明が解決しようとする課題】
しかるに、上記の通信方式が異なる複数の無線通信網に対して通信を行うことが可能な従来の複合携帯端末においては、電源オン時のチャネルサーチや、基地局エリアの端におけるチャネルサーチにおいては、通信方式の異なる無線通信基地局に対して行わなければならず、余分なチャネルサーチを行うことがあり、電力消費が大きいという問題がある。
【０００７】
すなわち、電源オン時には、複合携帯端末は自端末が、異なる複数の通信方式（上記の場合、ＰＤＣ及びＣＤＭＡ）のうちのどの通信方式の基地局のエリアに在圏しているかを確認して待ち受け動作に入るために、基地局から定期的にページングチャネルで送信される信号を、複数の通信方式で順次受信動作を行い、基地局の通信方式を確認してから、通信チャネルを確立するチャネルサーチを行う。
【０００８】
また、複合携帯端末は、待ち受け中及び通話中において現在通信している基地局との第１の通信状態（例えば受信電界レベル）が所定の閾値よりも良好であるときは、そのまま現在通信している基地局との間で、既知の通信方式で通信を継続して行うが、第１の通信状態が所定の閾値以下に劣化したときには、現在通信している基地局のエリアの端に自端末が位置していると判断して、現在通信している基地局に隣接する別の基地局との第２の通信状態を上記の第１の通信状態と比較して、第２の通信状態が第１の通信状態よりも良好になった時に、上記の別の基地局との間で無線通信するように切り替える。
【０００９】
ここで、上記の通信状態の比較の際には、上記の別の基地局の通信方式が複数の通信方式のどれであるか分からないので、上記の別の基地局から定期的にページングチャネルで送信される信号を、複数の通信方式で順次受信動作を行い、当該別の基地局の通信方式を確認してから、通信チャネルを確立するチャネルサーチを行う。
【００１０】
このように、通信方式が異なる複数の無線通信網に対して通信を行うことが可能な従来の複合携帯端末においては、電源オン時のチャネルサーチや、基地局エリアの端におけるチャネルサーチにおいては、通信する基地局の通信方式とは別の通信方式で基地局に対して通信を行うことで、余分なチャネルサーチを行うことがあり、その分、電力消費がかかり、電池寿命を短くするという問題がある。
【００１１】
本発明は以上の点に鑑みなされたもので、移動通信システム及び複合携帯端末を提供することを目的とする。
【００１２】
また、本発明の他の目的は、通信方式が異なる複数の無線通信網に対して通信を行う複合携帯端末による余分なチャネルサーチを防止することで、複合携帯端末の消費電力を抑制し得る移動通信システム及び複合携帯端末を提供することにある。
【００１３】
【課題を解決するための手段】
上記の目的を達成するため、第１の発明の移動通信システムは、通信方式が互いに異なり、かつ、互いに独立した通信エリアを各々有する複数の基地局と、全地球測位システムで用いられるＧＰＳ衛星と、複数の基地局のいずれに対しても、その基地局の通信方式で通信可能な複数の通信方式に対応した複数の無線部及びＧＰＳ衛星からのＧＰＳ信号を受信するＧＰＳ受信部を搭載した複合携帯端末とよりなる移動通信システムであって、複合携帯端末は、複数の基地局の通信エリアの位置情報と複数の基地局の通信方式とを対応付けたエリア情報を記憶している記憶部と、電源オン時にＧＰＳ受信部で受信したＧＰＳ信号に基づき現在の位置情報を算出する位置情報検出部と、位置情報検出部で算出した現在の位置情報と記憶部に記憶されているエリア情報を比較して、現在の位置情報に対応したエリアの基地局の通信方式を求める第１の通信方式検索手段と、複数の無線部のうち第１の通信方式検索手段で求めた通信方式の無線部を動作状態としてチャネルサーチを行い待ち受け状態とする第１の待ち受け手段とを有することを特徴とする。
【００１４】
この発明では、複合携帯端末の電源オン時に、ＧＰＳ信号に基づいて検出した現在の位置情報と記憶部のエリア情報とを比較して、複合携帯端末が在圏するエリアの基地局の通信方式を求めるようにしたため、現在在圏するエリアの基地局に対してのみチャネルサーチができる。
【００１５】
また、第２の発明の移動通信システムは、複合携帯端末を、複数の基地局の通信エリアの位置情報と複数の基地局の通信方式とを対応付けたエリア情報を記憶している記憶部と、通信中の基地局からの信号の受信レベルを所定の閾値と比較する比較手段と、比較手段により受信レベルが閾値以下のときにＧＰＳ受信部で受信したＧＰＳ信号に基づき現在の位置情報を算出する位置情報検出部と、位置情報検出部で算出した現在の位置情報と記憶部に記憶されているエリア情報を比較して、現在の位置情報に対応したエリアに隣接するエリアの基地局の通信方式を求める第２の通信方式検索手段と、複数の無線部のうち第２の通信方式検索手段で求めた通信方式の無線部を動作状態としてチャネルサーチを行い待ち受け状態とする第２の待ち受け手段とを有することを特徴とする。
【００１６】
この発明では、複合携帯端末が移動しながらの通信中に、通信中の基地局のエリアの端に来たときにＧＰＳ信号に基づいて検出した現在の位置情報と記憶部のエリア情報とを比較して、複合携帯端末が在圏するエリアに隣接するエリアの基地局の通信方式を求めるようにしたため、次に移動する隣接するエリアの基地局に対してのみチャネルサーチができる。
【００１７】
また、上記の目的を達成するため、第３の発明の移動通信システムは、第２の発明における複合携帯端末を、第２の通信方式検索手段により位置情報検出部で算出した現在の位置情報に対応したエリアに隣接するエリアのエリア情報が記憶部から検索できないときに、通信中の基地局に対して隣接するエリアのエリア情報を要求する情報要求手段と、通信中の基地局から応答送信された隣接するすべてのエリアのエリア情報を受信して移動方向に隣接するエリア情報を取得して、そのエリアの基地局の通信方式を求める第３の通信方式検索手段とを有する構成とし、複数の基地局を、複合携帯端末からエリア情報要求があったときは、隣接するすべての基地局の通信方式と隣接するエリアの位置情報を含むエリア情報を要求元の複合携帯端末へ送信する送信手段を有する構成としたことを特徴とする。
【００１８】
この発明では、複合携帯端末が移動しながらの通信中に、通信中の基地局のエリアの端に来たときにＧＰＳ信号に基づいて検出した現在のエリアに隣接するエリアのエリア情報が記憶部に存在しない時に、通信中の基地局に対して隣接するエリアのエリア情報の送信を要求して、隣接するエリアのエリア情報を取得することができる。
【００１９】
また、上記の目的を達成するため、第４の発明の複合携帯端末は、通信方式が互いに異なり、かつ、互いに独立した通信エリアを各々有する複数の基地局のいずれに対しても、その基地局の通信方式で通信可能な複数の通信方式に対応した複数の無線部、及び全地球測位システムで用いられるＧＰＳ衛星からのＧＰＳ信号を受信するＧＰＳ受信部を搭載した複合携帯端末であって、複数の基地局の通信エリアの位置情報と複数の基地局の通信方式とを対応付けたエリア情報を記憶している記憶部と、電源オン時にＧＰＳ受信部で受信したＧＰＳ信号に基づき現在の位置情報を算出する位置情報検出部と、位置情報検出部で算出した現在の位置情報と記憶部に記憶されているエリア情報を比較して、現在の位置情報に対応したエリアの基地局の通信方式を求める第１の通信方式検索手段と、複数の無線部のうち第１の通信方式検索手段で求めた通信方式の無線部を動作状態としてチャネルサーチを行い待ち受け状態とする第１の待ち受け手段とを有する構成としたものである。
【００２０】
この発明は第１の発明と同様に、複合携帯端末の電源オン時に、ＧＰＳ信号に基づいて検出した現在の位置情報と記憶部のエリア情報とを比較して、複合携帯端末が在圏するエリアの基地局の通信方式を求めるようにしたため、現在在圏するエリアの基地局に対してのみチャネルサーチができる。
【００２１】
また、上記の目的を達成するため、第５の発明の複合携帯端末は、複数の基地局の通信エリアの位置情報と複数の基地局の通信方式とを対応付けたエリア情報を記憶している記憶部と、通信中の第１の基地局からの信号の受信レベルを所定の閾値と比較する比較手段と、比較手段により受信レベルが閾値以下のときにＧＰＳ受信部で受信したＧＰＳ信号に基づき現在の位置情報を算出する位置情報検出部と、位置情報検出部で算出した現在の位置情報と記憶部に記憶されているエリア情報を比較して、現在の位置情報に対応したエリアに隣接するエリアの第２の基地局の通信方式を求める第２の通信方式検索手段と、複数の無線部のうち第２の通信方式検索手段で求めた通信方式の無線部を動作状態としてチャネルサーチを行い待ち受け状態とする第２の待ち受け手段とを有する構成としたものである。
【００２２】
この発明は、第２の発明と同様に、複合携帯端末が移動しながらの通信中に、通信中の基地局のエリアの端に来たときにＧＰＳ信号に基づいて検出した現在の位置情報と記憶部のエリア情報とを比較して、複合携帯端末が在圏するエリアに隣接するエリアの基地局の通信方式を求めるようにしたため、次に移動する隣接するエリアの基地局に対してのみチャネルサーチができる。
【００２３】
また、上記の目的を達成するため、第６の発明の複合携帯端末は、第５の発明の複合携帯端末に、通信中の第１の基地局からの信号の第１の受信レベルと、待ち受け状態にある隣接するエリアの第２の基地局からの信号の第２の受信レベルとを比較し、第２の受信レベルの方が第１の受信レベルよりも大となった時に、通信する基地局を第１の基地局から第２の基地局へ切り替える切り替え手段を更に有することを特徴とする。
【００２４】
【発明の実施の形態】
次に、本発明の実施の形態について図面と共に説明する。図１は本発明になる移動通信システムの一実施の形態の概略システム構成図を示す。同図において、移動通信システムは、本発明になる複合携帯端末の一例であるＧＰＳ搭載複合携帯電話１と、公知の全地球測位システム（ＧＰＳ：Ｇｌｏｂａｌ  Ｐｏｓｉｔｉｏｎｉｎｇ  Ｓｙｓｔｅｍ）で用いられるＧＰＳ衛星２と、通信方式がＰＤＣであるＰＤＣ基地局３と、通信方式がＣＤＭＡであるＣＤＭＡ基地局４とから構成される。ＰＤＣ基地局３は、ＰＤＣエリア５の中心に位置し、ＣＤＭＡ基地局４は、ＣＤＭＡエリア６の中心に位置する。両エリア５及び６は、それぞれ互いに独立した通信エリアであり、ここでは一部が重複している。
【００２５】
なお、ここでは、図示及び説明の便宜上、ＰＤＣ基地局３とＣＤＭＡ基地局４とが、互いに隣接するように図示しているが、実際にはＰＤＣ基地局同士、あるいはＣＤＭＡ基地局同士が隣接することもあり、また、設置されている基地局の総数は３以上の多数であることは勿論である。また、ＧＰＳ衛星２は、複数の低軌道衛星であるが、ここではＧＰＳ搭載複合携帯電話１と通信中の１台のＧＰＳ衛星のみを図示している。また、ここでは、異なる複数の通信方式としてＰＤＣとＣＤＭＡを挙げているが、これ以外の通信方式でもよい。
【００２６】
ＧＰＳ搭載複合携帯電話１は、ＧＰＳ衛星２から送信されたＧＰＳ信号を受信して、自端末の位置情報（緯度及び経度）を算出する機能を有する本発明の複合携帯端末であり、例えば図２のブロック図に示す構成とされている。
【００２７】
図２において、ＧＰＳ搭載複合携帯電話１は、ＰＤＣ基地局（図１の３）との間でＰＤＣ信号を無線通信するＰＤＣアンテナ１１と、ＰＤＣアンテナ１１に接続されたＰＤＣ無線部１２と、ＣＤＭＡ基地局（図１の４）との間でＣＤＭＡ信号を無線通信するＣＤＭＡアンテナ１３と、ＣＤＭＡアンテナ１３に接続されたＣＤＭＡ無線部１４と、ＰＤＣベースバンド信号やＣＤＭＡベースバンド信号に含まれる音声情報やデータ情報（画像情報やテキスト情報を含む）を再生する共通ベースバンド部１５と、受話器であるレシーバ１６と、送話器であるマイク１７と、ＧＰＳ信号を受信するＧＰＳアンテナ１８と、受信したＧＰＳ信号を復調してＧＰＳベースバンド信号に再生するＧＰＳ受信部１９と、位置検出部２０と、携帯電話１の各部を統括的に制御する制御部２１と、使用者に対して情報を表示する表示部２２と、使用者が操作する通話ボタンやテンキーなどからなるキー操作部２３と、記憶部２４とから構成されている。
【００２８】
上記のＰＤＣ無線部１２は、受信時はＰＤＣアンテナ１１で受信したＰＤＣ信号を復調し、発呼側で作られたＰＤＣベースバンド信号に再生して共通ベースバンド部１５に供給し、送信時は共通ベースバンド部１５から入力された音声信号やデータ情報をＰＤＣ信号に変換してＰＤＣアンテナ１１を介して無線送信する。また、上記のＣＤＭＡ無線部１４は、受信時はＣＤＭＡアンテナ１３で受信したＣＤＭＡ信号を復調し、発呼側で作られたＣＤＭＡベースバンド信号に再生して共通ベースバンド部１５に供給し、送信時は共通ベースバンド部１５から入力された音声信号やデータ情報をＣＤＭＡ信号に変換してＣＤＭＡアンテナ１３を介して無線送信する。
【００２９】
また、上記の位置検出部２０は、ＧＰＳ受信部１９から供給されるＧＰＳベースバンド信号からＧＰＳ搭載複合携帯電話１の現在の位置情報を算出する。この位置情報算出方法自体は、本発明の要旨ではないので、その詳細な説明は省略するが、上記の位置検出部２０は、ＧＰＳ受信部１９から入力された、複数のＧＰＳ衛星からのＧＰＳベースバンド信号の到達時間差やＧＰＳ衛星の軌道から現在位置の位置情報（緯度や経度）を算出する。
【００３０】
また、上記の記憶部２４は、電話帳や地図情報、エリア情報及び各種設定等を予め記憶している。上記のエリア情報としては、ＰＤＣ基地局３によるＰＤＣエリア５及びＣＤＭＡ基地局４によるＣＤＭＡエリア６それぞれの緯度及び経度からなる位置情報と、基地局３及び４の通信方式とが対応付けられた情報である。
【００３１】
次に、本実施の形態の移動通信システム及びＧＰＳ搭載複合携帯電話１の動作について説明する。まず、ＧＰＳ搭載複合携帯電話１の電源オン時の動作について、図３のフローチャートを併せ参照して説明する。使用者が電源がオフとされている状態のＧＰＳ搭載複合携帯電話１の電源を投入（オン）すると（ステップ３０１）、図２に示したＧＰＳ受信部１９及び位置検出部２０が動作を開始して、ＧＰＳ衛星２からのＧＰＳ信号を受信し（ステップ３０２）、ＧＰＳベースバンド信号を得て、位置検出部２０により携帯電話１の現在位置の位置情報（緯度及び経度）が算出される（ステップ３０３）。
【００３２】
次に、制御部２１は、位置検出部２０により算出された携帯電話１の現在位置の位置情報に基づいて、記憶部２４に記憶されているエリア情報を比較参照する（ステップ３０４）。上記の比較参照により、現在位置がまずＣＤＭＡ基地局４によるＣＤＭＡエリア６であるか否か判定され（ステップ３０５）、ＣＤＭＡエリア６であれば、制御部２１はＣＤＭＡ無線部１４を動作させると共に、ＰＤＣ無線部１２を非動作として、ＣＤＭＡ信号の送受信を行えるようにして、ＣＤＭＡ基地局４から定期的に送信された信号を受信して、ＣＤＭＡでのチャネルサーチを行い（ステップ３０６）、通信チャネル確立後、ＣＤＭＡ信号の送受信可能なＣＤＭＡモードにて待ち受け状態に入る（ステップ３０７）。
【００３３】
他方、ステップ３０５でＣＤＭＡエリア６ではないと判定されたときには、制御部２１はＰＤＣエリア５であるか否か判定し（ステップ３０８）、ＰＤＣエリア５であれば、制御部２１はＰＤＣ無線部１２を動作させると共に、ＣＤＭＡ無線部１４を非動作として、ＰＤＣ信号の送受信を行えるようにして、ＰＤＣ基地局３から定期的に送信された信号を受信して、ＰＤＣでのチャネルサーチを行い（ステップ３０９）、通信チャネル確立後、ＰＤＣ信号の送受信可能なＰＤＣモードにて待ち受け状態に入る（ステップ３１０）。
【００３４】
また、ステップ３０８において、ＰＤＣエリア５でもないと判定されたときには、再度ＧＰＳ信号を受信して（ステップ３０２）、再度上記のステップ３０３以降の処理を行う。
【００３５】
このように、本実施の形態では、ＧＰＳ搭載複合携帯電話１の電源オン時に、ＧＰＳ信号から現在位置情報を算出して、この現在位置情報と記憶部２４に記憶しているエリア情報とを比較して、現在位置情報がＰＤＣエリア５であるかＣＤＭＡエリア６であるかを判定して、判定したエリアに対応した通信方式でのみチャネルサーチを行うようにしたため、余分なチャネルサーチをすることが無くなり、余分な電力消費を防止することができる。
【００３６】
次に、ＧＰＳ搭載複合携帯電話１の通話中の動作について、図４のフローチャートを併せ参照して説明する。ＧＰＳ搭載複合携帯電話１はＰＤＣ基地局３又はＣＤＭＡ基地局４と通話中であるときに（ステップ４０１）、受信レベルを確認（計測）する（ステップ４０２）。
【００３７】
ＧＰＳ搭載複合携帯電話１の制御部２１は、この受信レベルを予め設定した所定の閾値と比較し（ステップ４０３）、受信レベルが閾値以上であるときには、ＧＰＳ搭載複合携帯電話１が現在通話中のＰＤＣ基地局３又はＣＤＭＡ基地局４のエリア５又は６の中央付近に在圏していると判断して、引き続き現在のモードのまま受信レベルの確認を行うが、受信レベルが閾値未満に劣化したときには、ＧＰＳ搭載複合携帯電話１が現在通話中のＰＤＣ基地局３又はＣＤＭＡ基地局４のエリア５又は６の端に移動したと判断して、現在通話中のＰＤＣ基地局３又はＣＤＭＡ基地局４のエリア５又は６に隣接する基地局の通信方式を検出するために、無駄な電力消費を抑えるため、それまでオフ状態であったＧＰＳ無線部１９の動作をオンとする（ステップ４０４）。
【００３８】
これにより、ＧＰＳ衛星２から送信されているＧＰＳ信号が、ＧＰＳアンテナ１８を介してＧＰＳ無線部１９により受信・復調されてＧＰＳベースバンド信号とされた後（ステップ４０５）、このＧＰＳベースバンド信号に基づき位置検出部２０により携帯電話１の現在位置の位置情報（緯度及び経度）が算出される（ステップ４０６）。
【００３９】
次に、制御部２１は、位置検出部２０により算出された携帯電話１の現在位置の位置情報に基づいて、記憶部２４に記憶されているエリア情報を比較参照して、現在通話中のＰＤＣ基地局３又はＣＤＭＡ基地局４に隣接する基地局のエリア情報を取得する（ステップ４０７）。以後は、図３に示したステップ３０５以降の処理が行われ、隣接する基地局の通信方式（ＰＤＣモード又はＣＤＭＡモード）に合致した通信方式のチャネルサーチ後に待ち受け状態となる。
【００４０】
これにより、制御部２１は現在通話中の基地局からの信号の第１の受信レベルと、待ち受け状態で得られる隣接する基地局から定期的に送信される信号の第２の受信レベルとを比較し、第２の受信レベルの方が第１の受信レベルよりも大きくなった時点で、エリア切り替えを行い、通信相手の基地局を隣接する基地局に切り替えると共に、その基地局の通信方式で引き続き通話を継続する。
【００４１】
従って、例えば、図１において、ＧＰＳ搭載複合携帯電話１がＰＤＣエリア５内にあって、ＰＤＣ基地局３を通して移動通信網の相手端末と通話を行いつつ移動してＣＤＭＡエリア６に近いＰＤＣエリア５の端に来た場合、ＧＰＳ搭載複合携帯電話１はＧＰＳ衛星２からのＧＰＳ信号を受信して算出した現在位置情報を記憶部２４に記憶されているエリア情報と比較することで、隣接する基地局がＣＤＭＡ基地局４であることが分かるため、ＣＤＭＡでのチャネルサーチだけを行って、ＣＤＭＡでの待ち受け状態となり、ＣＤＭＡ基地局４から定期的に送信される信号の受信レベルを確認して、現在通話中のＰＤＣ基地局３からの信号の受信レベルとを比較する。
【００４２】
そして、ＧＰＳ搭載複合携帯電話１が更に移動してＣＤＭＡエリア６に入ると（あるいは入る直前になると）、ＣＤＭＡ基地局４からの信号の受信レベルが、現在通話中のＰＤＣ基地局３からの信号の受信レベルよりも大となるため、ＧＰＳ搭載複合携帯電話１はＰＤＣモードからＣＤＭＡモードに切り替わり、ＣＤＭＡ基地局４を介して相手端末との間の通話を継続する。
【００４３】
このように、本実施の形態では、移動しながらの通話中、基地局エリアの端に来た場合にはＧＰＳ位置情報を受信し、現在位置検出およびエリア検出を行うことにより、次にどちらの通信方式の基地局に対してチャネルサーチを行えばよいかの判断ができるため、余分なチャネルサーチをすることが無くなり消費電力を抑えることが可能である。
【００４４】
次に、本発明の移動通信システム及び複合携帯端末の他の実施の形態について説明する。この実施の形態は、複合携帯端末のブロック構成は図２と同様であるが、通話中の位置情報検出において、検出した現在位置が記憶部２４に記憶されていない場合の動作に特徴を有するもので、図５のフローチャートと共にその動作について説明する。図５中、図３及び図４と同一処理ステップは図示を省略してある。
【００４５】
この実施の形態では、ＧＰＳ搭載複合携帯電話１が現在通話中のＰＤＣ基地局３又はＣＤＭＡ基地局４のエリア５又は６の端に移動したときに、上記の実施の形態と同様に、ＧＰＳベースバンド信号に基づき位置検出部２０により算出された携帯電話１の現在位置の位置情報に基づいて、記憶部２４に記憶されているエリア情報を比較する（ステップ４０７）。
【００４６】
このとき、記憶部２４に記憶されているエリア情報の中に、現在通話中のＰＤＣ基地局３又はＣＤＭＡ基地局４に隣接する基地局のエリア情報と一致するものが存在するか否か判定し（ステップ５０１）、一致するものがあれば、図３及び図４と共に説明したと同様にステップ３０５以降の動作を行うが、一致するものが無いときには、現在通話中のＰＤＣ基地局３又はＣＤＭＡ基地局４に対して、隣接する基地局のエリア情報を要求する（ステップ５０２）。
【００４７】
現在通話中のＰＤＣ基地局３又はＣＤＭＡ基地局４は、上記のエリア情報要求を受け取ると、隣接するすべての基地局のエリア情報を携帯電話１に対して応答送信するので、この基地局からのエリア情報を携帯電話１が受信する（ステップ５０３）。
【００４８】
続いて、携帯電話１はＧＰＳベースバンド信号に基づき位置検出部２０により算出された携帯電話１の現在位置の位置情報と、現在通話中のＰＤＣ基地局３又はＣＤＭＡ基地局４から受信した隣接するすべての基地局の複数のエリア情報とを比較し、受信した隣接するすべての基地局の複数のエリア情報の中から、携帯電話１の移動方向に対応した、移動先の一の隣接する基地局のエリア情報を取得する（ステップ５０４）。
【００４９】
以後は、図３に示したステップ３０５以降の処理が行われ、隣接する基地局の通信方式（ＰＤＣモード又はＣＤＭＡモード）に合致した通信方式のチャネルサーチ後に待ち受け状態となる。
【００５０】
なお、以上の実施の形態の複合携帯端末では、電源オン時と通話中の基地局の通信エリアの端に移動した時の両方について余分なチャネルサーチを行わない処理をしているが、どちらか一方の処理だけを行うようにしてもよい。
【００５１】
【発明の効果】
以上説明したように、本発明によれば、複合携帯端末の電源オン時に、ＧＰＳ信号に基づいて検出した現在の位置情報と記憶部のエリア情報とを比較して、複合携帯端末が在圏するエリアの基地局の通信方式を求めることにより、現在在圏するエリアの基地局に対してのみチャネルサーチを行うようにしたため、余分なチャネルサーチをすることがなく、消費電力を抑えることができ、電池の長寿命化を実現できる。
【００５２】
また、本発明によれば、複合携帯端末が移動しながらの通信中に、通信中の基地局のエリアの端に来たときにＧＰＳ信号に基づいて検出した現在の位置情報と記憶部のエリア情報とを比較して、複合携帯端末が在圏するエリアに隣接するエリアの基地局の通信方式を求めることにより、次に移動する隣接するエリアの基地局に対してのみチャネルサーチを行うようにしたため、余分なチャネルサーチをすることがなく、消費電力を抑えることができ、電池の長寿命化を実現できる。
【図面の簡単な説明】
【図１】本発明の移動通信システムの一実施の形態の概略システム構成図である。
【図２】本発明の複合携帯端末の一実施の形態のブロック図である。
【図３】図１及び図２に示した携帯電話の電源オン時の動作説明用フローチャートである。
【図４】図１及び図２に示した携帯電話が通話中基地局エリアの端に来た時の動作説明用フローチャートである。
【図５】本発明の複合携帯端末の他の実施の形態の動作説明用の要部のフローチャートである。
【符号の説明】
１  ＧＰＳ搭載複合携帯電話
２  ＧＰＳ衛星
３  ＰＤＣ基地局
４  ＣＤＭＡ基地局
５  ＰＤＣエリア
６  ＣＤＭＡエリア
１１  ＰＤＣアンテナ
１２  ＰＤＣ無線部
１３  ＣＤＭＡアンテナ
１４  ＣＤＭＡ無線部
１５  共通ベースバンド部
１８  ＧＰＳアンテナ
１９  ＧＰＳ受信部
２０  位置検出部
２１  制御部
２４  記憶部
【図１】
2004221730.tif 000003
【図２】
2004221730.tif 000004
【図３】
2004221730.tif 000005
【図４】
2004221730.tif 000006
【図５】
2004221730.tif 000007